(57)【特許請求の範囲】
【請求項１】
ケース本体の内部に該ケース本体に形成された前面開口を臨む態様で設けられ、かつ背面を構成する背面パネルが下方に向かうに連れて漸次前方に傾斜している収納室と、
前記ケース本体の内部に前記収納室と区画して設けられ、吸い込まれた前記収納室の内部空気が自身に配設された冷却手段で冷却されて前記収納室に吹き出されることで、前記収納室の前面にエアカーテンを形成する空気風路と、
前記空気風路を遮断する態様で前記収納室に設けられたいずれかの商品陳列棚に取り付けられ、かつ前記冷却手段により冷却された空気を後端部に設けられた導入口より導入して前端部に設けられた中間吹出口より吹き出すことにより、自身の下方域の前面にエアカーテンを形成する中間ダクトと
を備え、前記収納室における前記中間ダクトの上方域と下方域とを異なる温度域にするショーケースにおいて、
前記中間ダクトは、
前記商品陳列棚の構成要素に取り付けられ、かつ前端部に前記中間吹出口が形成されたダクト本体部と、
前記ダクト本体部の後端開口部を通じて該ダクト本体部の内部に一部が進入した状態で前後方向に沿って移動可能に設けられ、下端部が前記導入口を構成する遮断部と、
前記遮断部を前記ダクト本体部に取り付けるための取付機構と
を有し、
前記取付機構は、
前記遮断部に取り付けられた遮断部側取付金の貫通孔と、前記ダクト本体部に取り付けられたダクト本体部側取付金の貫通孔とを貫通する態様で前後方向に沿って延在するロッドと、
前記ロッドを巻回する態様で設けられ、かつ一端が前記遮断部側取付金に係止し、他端が前記ダクト本体部側取付金に係止することにより、前記遮断部を後方に向けて付勢することにより前記空気風路を遮断させる圧縮バネ部材と、
前記遮断部に形成された前後方向が長手方向となる長孔を貫通して前記ダクト本体部側取付金に螺合され、該遮断部が前後方向に沿って移動する場合に前記長孔を相対的に変位する段付きネジと
を備えたことを特徴とするショーケース。
【発明の詳細な説明】
【技術分野】
【０００１】
本発明は、ショーケースに関し、より詳細には、商品陳列棚に陳列された商品を少なくとも２つの温度に保持するショーケースに関するものである。
【背景技術】
【０００２】
従来、商品陳列棚に陳列された商品を少なくとも２つの温度に保持するショーケースとして、次のようなものが知られている。
【０００３】
例えば、前面開口が形成されたケース本体の内部の収納室に複数の商品陳列棚が上下方向に沿って並ぶよう設けられており、それぞれの商品陳列棚に商品が載置されて陳列されている。
【０００４】
また、ケース本体の内部であって収納室外となる個所には、収納室下部の吸込口を通じて吸い込んだ空気が通過する空気風路が形成されている。この空気風路には、通過する空気を冷却する蒸発器が設置されており、この蒸発器で冷却された空気は、収納室上部の吹出口より吹き出される。
【０００５】
更に、ケース本体には中間ダクトが設けられている。中間ダクトは、空気風路を遮断する態様で収納室の任意の商品陳列棚に取り付けられている。この中間ダクトは、蒸発器で冷却された空気を後端部に設けられた導入口より導入して前端部に設けられた中間吹出口より吹き出すことにより、自身の下方域の前面にエアカーテンを形成する。
【０００６】
このようなショーケースでは、収納室における中間ダクトの上方域と下方域とを異なる温度域にすることができ、商品陳列棚に陳列された商品を２つの温度に保持することができる。
【０００７】
ところで、収納室の背面を構成する背面パネルは、下方に向かうに連れて漸次前方に傾斜しているのが一般的である。そのため、収納室の背面側の空気風路においては、上方側よりも下方側の方が前後方向の幅が大きくなる。これにより、空気風路の上方側と下方側とでは、該空気風路を遮断するための面積が異なっている。
【０００８】
そこで、収納室の背面側の空気風路において、背面パネルと平行に傾斜する当接板を設け、該空気風路を遮断するための面積を一定にしているショーケースが提案されている（例えば、特許文献１参照）。
【先行技術文献】
【特許文献】
【０００９】
【特許文献１】特許第４６５２１００号公報
【発明の概要】
【発明が解決しようとする課題】
【００１０】
ところで、上述したショーケースでは、背面側の空気風路に当接板が設けられているので、該当接板が通過する空気、特に蒸発器で冷却された空気の障害となってしまい、空気の通過に不具合が生じていた。
【００１１】
このように空気風路での空気の通過に不具合が生ずると、中間吹出口から良好に冷却された空気が十分に吹き出されず、結果的に、商品陳列棚に陳列された商品を効率よく所望の温度に調整することが困難であった。
【００１２】
本発明は、上記実情に鑑みて、商品陳列棚に陳列された商品を所望の温度に良好に調整することができるショーケースを提供することを目的とする。
【課題を解決するための手段】
【００１３】
上記目的を達成するために、本発明に係るショーケースは、ケース本体の内部に該ケース本体に形成された前面開口を臨む態様で設けられ、かつ背面を構成する背面パネルが下方に向かうに連れて漸次前方に傾斜している収納室と、前記ケース本体の内部に前記収納室と区画して設けられ、吸い込まれた前記収納室の内部空気が自身に配設された冷却手段で冷却されて前記収納室に吹き出されることで、前記収納室の前面にエアカーテンを形成する空気風路と、前記空気風路を遮断する態様で前記収納室に設けられたいずれかの商品陳列棚に取り付けられ、かつ前記冷却手段により冷却された空気を後端部に設けられた導入口より導入して前端部に設けられた中間吹出口より吹き出すことにより、自身の下方域の前面にエアカーテンを形成する中間ダクトとを備え、前記収納室における前記中間ダクトの上方域と下方域とを異なる温度域にするショーケースにおいて、前記中間ダクトは、前記商品陳列棚の構成要素に取り付けられ、かつ前端部に前記中間吹出口が形成されたダクト本体部と、前記ダクト本体部の後端開口部を通じて該ダクト本体部の内部に一部が進入した状態で前後方向に沿って移動可能に設けられ、下端部が前記導入口を構成する遮断部と、前記遮断部を後方に向けて付勢することにより前記空気風路を遮断させる付勢手段とを備えたことを特徴とする。
【００１４】
また本発明は、上記ショーケースにおいて、前記付勢手段は、圧縮バネ部材により構成されることを特徴とする。
【００１５】
また本発明は、上記ショーケースにおいて、前記付勢手段は、板バネ部材により構成されることを特徴とする。
【発明の効果】
【００１６】
本発明によれば、前端部に中間吹出口が形成されたダクト本体部がいずれかの商品陳列棚の構成要素に取り付けられ、下端部が導入口を構成する遮断部がダクト本体部の後端開口部を通じて該ダクト本体部の内部に一部が進入した状態で前後方向に沿って移動可能に設けられ、付勢手段が遮断部を後方に向けて付勢することにより遮断部に空気風路を遮断させるので、空気風路の前後の幅に応じてダクト本体部の後端部から遮断部の後方への突出移動量を調整することができ、従来のような当接板が不要である。このように当接板が不要であるので、該当接板により冷却手段で冷却された空気の通過が阻害される虞れがない。これにより、中間吹出口から良好に冷却された空気が十分に吹き出すことができ、商品陳列棚に陳列された商品を所望の温度に良好に調整することができるという効果を奏する。
【図面の簡単な説明】
【００１７】
【図１】図１は、本発明の実施の形態であるショーケースを模式的に示す断面側面図である。
【図２】図２は、中間ダクトを任意の商品陳列棚とともに示す左側面図である。
【図３】図３は、中間ダクトを任意の商品陳列棚とともに後方側から示す斜視図である。
【図４】図４は、図２及び図３に示した中間ダクトを示す左側面図である。
【図５】図５は、図２〜図４に示した遮断部を示す斜視図である。
【図６】図６は、中間ダクトを構成する左方側の取付機構の構成を示す分解斜視図である。
【図７】図７は、本発明の実施の形態であるショーケースの変形例の要部を拡大して示す斜視図である。
【図８】図８は、図７に示した板バネ部材が撓んで変形することを示す説明図である。
【発明を実施するための形態】
【００１８】
以下に添付図面を参照して、本発明に係るショーケースの好適な実施の形態について詳細に説明する。
【００１９】
図１は、本発明の実施の形態であるショーケースを模式的に示す断面側面図である。ここで例示するショーケースは、ケース本体１０を備えている。
【００２０】
ケース本体１０は、前面に開口（以下、前面開口ともいう）１１が形成された略直方状の断熱筐体であり、その内部には収納室１２が形成されているとともに空気循環手段が設けてある。
【００２１】
収納室１２は、上記前面開口１１を臨む態様で形成された室であり、複数（図示の例では６つ）の商品陳列棚１３が上下方向に沿って複数段並べて配設してある。この収納室１２の背面を構成する背面パネル１２ａは、下方に向かうに連れて漸次前方に傾斜している。商品陳列棚１３は、それぞれ棚板１３ａに商品を載置して陳列するものである。
【００２２】
空気循環手段は、空気風路２０と循環ファン３０とを備えて構成してある。空気風路２０は、吸込口１４から吹出口１５に至る空気の通路である。ここで吸込口１４は、収納室１２の内部の空気を吸い込むための開口であり、左右方向に沿って延在するよう設けられた長尺状のものである。この吸込口１４は、収納室１２の下側前方縁部、すなわちケース本体１０の前面開口１１近傍の下部に設けてある。
【００２３】
吹出口１５は、図示の例では２つ設けてあり、収納室１２の内部に空気を吹き出すための開口である。これら吹出口１５は、それぞれ左右方向に沿って延在するよう設けてあり、収納室１２の上側前方縁部、すなわちケース本体１０の前面開口１１近傍の上部に前後に並ぶよう設けてある。
【００２４】
このような空気風路２０は、収納室１２の外部であってその下方にある下方ダクト２１と、収納室１２の外部であってその背面側にある背面ダクト２２と、収納室１２の外部であってその上方にある上方ダクト２３とを互いに連通した状態で構成してある。また、空気風路２０は、背面ダクト２２から２つに分かれており、外方風路２０ａが一方の吹出口１５（以下、前側吹出口１５ａともいう）に通じ、内方風路２０ｂが他方の吹出口１５（以下、後側吹出口１５ｂともいう）に通じている。ここで、背面ダクト２２において、外方風路２０ａと内方風路２０ｂとを区画する区画パネル２４は、上記背面パネル１２ａのように傾斜することなく上下方向に延在している。つまり、背面パネル１２ａと区画パネル２４との前後幅は、上方よりも下方の方が大きくなっている。
【００２５】
循環ファン３０は、空気を循環させるものであり、下方ダクト２１の所定部位に設けてある。本実施の形態では、循環ファン３０は、下方ダクト２１の所定部位に設けてあるが、本発明では、循環ファン３０の配設位置は特に限定されるものではなく、後述する循環ファン３０の機能を発揮することができる個所であればどこに設けても構わない。
【００２６】
上記空気風路２０の内方風路２０ｂには、蒸発器（冷却手段）３１が設けてある。蒸発器３１は、図示せぬ圧縮機、凝縮器及び膨張機構と冷媒管路で接続されて冷媒を循環させる冷凍サイクルを構成する。圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２７】
このような空気循環手段は、循環ファン３０が駆動することにより吸込口１４を通じて収納室１２の内部の空気を吸い込み、吸い込んだ空気が空気風路２０を通過する態様で吹出口１５まで送出し、吹出口１５を通じて収納室１２の内部に空気を吹き出すことにより、収納室１２の前面開口１１近傍にエアカーテンを形成し、収納室１２の内部と外部との間で空気を循環させるものである。
【００２８】
蒸発器３１は、循環ファン３０が駆動することにより内方風路２０ｂを下方から上方に向けて通過する空気と、膨張機構で低温低圧の状態にされた冷媒とを熱交換させるもの、より詳細には、低温低圧の冷媒を蒸発させることにより内方風路２０ｂを通過する空気を冷却するものである。この蒸発器３１で蒸発した冷媒は、圧縮機に吸引されて冷凍サイクルを循環することになる。
【００２９】
このようなショーケースにおいては、図２及び図３にも示すように、中間ダクト４０が設けてある。これら図２及び図３は、それぞれ中間ダクト４０を任意の商品陳列棚１３とともに示すものであり、図２は左側面図であり、図３は後方側から示す斜視図である。また、図４は、図２及び図３に示した中間ダクト４０を示す左側面図である。
【００３０】
以下においては、説明の便宜上、任意の商品陳列棚１３を最上位から３段目の商品陳列棚（以下、対象商品陳列棚ともいう）１３として中間ダクト４０について説明する。尚、対象商品陳列棚１３は、最上位から３段目の商品陳列棚１３だけに限られないことはいうまでもない。
【００３１】
中間ダクト４０は、全体として略平板状の形態を成しており、ダクト本体部４０ａと、遮断部４０ｂと、取付機構４０ｃとを有している。
【００３２】
ダクト本体部４０ａは、内部に風洞４１が設けてある。風洞４１は、前後方向に沿って延在するものであり、ダクト本体部４０ａの後端部の下部に形成された後端開口部４２に連通するとともに、ダクト本体部４０ａの前方側下端部に形成された中間吹出口４３に連通している。
【００３３】
このようなダクト本体部４０ａは、後端部における後端開口部４２の上方側の左右両端部にマグネットを内蔵する吸着部４４が設けてある。そして、これら吸着部４４が、対象商品陳列棚１３の左右一対のブラケット１３ｂに架設された左右延在部材１３ｃに設けられた金属製の取付板１３ｄに磁力により吸着することで対象商品陳列棚１３の棚板１３ａの下部に設けられている。つまり、ダクト本体部４０ａは、対象商品陳列棚１３の構成要素に取り付けてある。
【００３４】
ダクト本体部４０ａの中間吹出口４３は、前方側斜め下方に向けて開口しており、風洞４１を通過する空気を吹き出すためのものである。かかるダクト本体部４０ａの前端部分は、対象商品陳列棚１３の棚板１３ａの前端部分よりも後方側に配置している。
【００３５】
図５は、図２〜図４に示した遮断部４０ｂを示す斜視図である。この図５も適宜用いて遮断部４０ｂについて説明する。遮断部４０ｂは、下面及び前面が開放した箱状の形態を成しており、前端部及び下端部に開口が形成してある。この遮断部４０ｂの後端部には、例えばガスケット等のクッション材４５が取り付けてある。
【００３６】
このような遮断部４０ｂは、前端部分がダクト本体部４０ａの後端開口部４２より風洞４１に進入している。これにより遮断部４０ｂの前端部の開口は風洞４１に連通しており、遮断部４０ｂの下端部の開口は、ダクト本体部４０ａの下部に一部が閉塞されており導入口４６を構成している。これにより、遮断部４０ｂの下端部は導入口４６を構成している。導入口４６は、下方に向けて開口しており、内方風路２０ｂを通過する空気を導入するためのものである。
【００３７】
取付機構４０ｃは、遮断部４０ｂをダクト本体部４０ａに取り付けるためのものであり、図３及び図５に示すように左右一対となるように設けてある。
【００３８】
図６は、中間ダクト４０を構成する左方側の取付機構４０ｃの構成を示す分解斜視図である。尚、右方側の取付機構４０ｃは、左方側の取付機構４０ｃと同一の構成を有するので、以下においては、左方側の取付機構４０ｃについて説明し、右方側の取付機構４０ｃの説明を割愛する。
【００３９】
取付機構４０ｃは、ロッド４７と、圧縮バネ部材４８と、段付きネジ４９とを備えて構成してある。
【００４０】
ロッド４７は、前後方向に沿って延在するものであり、遮断部４０ｂの上端部の下面に図示せぬネジ等を介して取り付けられた遮断部側取付金５０の第１貫通孔５０ａ、並びにダクト本体部４０ａの下端部の上面に図示せぬネジ等を介して取り付けられたダクト本体部側取付金５１の第２貫通孔５１ａを貫通している。ここでロッド４７の後端部分４７ａは、第１貫通孔５０ａの内径よりも大きくしてある。これにより、遮断部４０ｂは、前後方向に沿って移動可能である。
【００４１】
圧縮バネ部材４８は、ロッド４７を巻回する態様で設けてあり、一端が遮断部側取付金５０の前面に係止し、他端がダクト本体部側取付金５１の後面に係止している。この圧縮バネ部材４８は、ダクト本体部側取付金５１がダクト本体部４０ａに取り付けられており、ダクト本体部４０ａが対象商品陳列棚１３の構成要素に取り付けてあるので、遮断部４０ｂを後方に向けて付勢する付勢手段である。
【００４２】
段付きネジ４９は、遮断部４０ｂの上端部に形成された前後方向が長手方向となる長孔５２を上方から貫通してダクト本体部側取付金５１の上部に螺合するものである。この段付きネジ４９は、遮断部４０ｂが前後方向に沿って移動する場合に、長孔５２を相対的に変位するものである。
【００４３】
このような構成を有する中間ダクト４０は、ダクト本体部４０ａが対象商品陳列棚１３の構成要素に取り付けられ、かつ取付機構４０ｃが遮断部４０ｂを前後方向に沿って移動可能にさせつつ圧縮バネ部材４８により遮断部４０ｂを後方に向けて付勢するので、遮断部４０ｂのクッション材４５が区画パネル２４の前面に当接して内方風路２０ｂを遮断することができる（図２参照）。
【００４４】
以上のような構成を有するショーケースにおいては、圧縮機が駆動するともに循環ファン３０が駆動することにより、収納室１２の内部の空気が次のように循環する。
【００４５】
吸込口１４を通じて空気風路２０の下方ダクト２１に吸い込まれた収納室１２の内部の空気は、該下方ダクト２１を通過した後に、一部が外方風路２０ａを通過し、残りが内方風路２０ｂを通過する。
【００４６】
外方風路２０ａを通過する空気は、前側吹出口１５ａに至った後に該前側吹出口１５ａを通じて収納室１２に吹き出され、再び吸込口１４を通じて空気風路２０に吸い込まれることにより、収納室１２の内部と外部とを循環する。これにより、収納室１２の前面には、エアカーテンを形成することができる。
【００４７】
一方、内方風路２０ｂを通過する空気は、蒸発器３１で冷却される。蒸発器３１で冷却された空気は、導入口４６を通じて風洞４１に導入され、該風洞４１を通過し、中間吹出口４３を通じて吹き出され、再び吸込口１４を通じて空気風路２０に吸い込まれることにより、収納室１２の内部と外部とを循環する。これにより、収納室１２における中間ダクト４０の下方域の前面には、蒸発器３１で冷却された空気によるエアカーテンを形成することができる。
【００４８】
このようにして収納室１２の内部の空気を循環させることにより、前側吹出口１５ａより吹き出される空気により収納室１２の前面にエアカーテンを形成するので、前面開口１１を通じて収納室１２の内部に外気が侵入することを抑制できる。
【００４９】
また、中間吹出口４３より吹き出される空気（冷気）により中間ダクト４０の下方域の前面にエアカーテンを形成するので、収納室１２における中間ダクト４０の下方域を、中間ダクト４０の上方域よりも冷却することができる。これにより、収納室１２における中間ダクト４０の上方域と下方域とを異なる温度帯にすることができ、収納室１２の商品を２つの温度に保持することができる。
【００５０】
以上説明したように、本実施の形態であるショーケースによれば、前端部に中間吹出口４３が形成されたダクト本体部４０ａが対象商品陳列棚１３の構成要素に取り付けられ、下端部が導入口４６を構成する遮断部４０ｂがダクト本体部４０ａの後端開口部４２を通じて該ダクト本体部４０ａの内部に一部が進入した状態で前後方向に沿って移動可能に設けられ、圧縮バネ部材４８が遮断部４０ｂを後方に向けて付勢することにより遮断部４０ｂに内方風路２０ｂを遮断させるので、内方風路２０ｂの前後の幅に応じてダクト本体部４０ａの後端部から遮断部４０ｂの後方への突出移動量を調整することができ、従来のような当接板が不要である。このように当接板が不要であるので、蒸発器３１で冷却された空気の通過を阻害する虞れがない。これにより、中間吹出口４３から良好に冷却された空気が十分に吹き出すことができ、商品陳列棚１３に陳列された商品を所望の温度に良好に調整することができる。
【００５１】
上記ショーケースによれば、取付機構４０ｃを構成し、かつダクト本体部４０ａにダクト本体部側取付金５１を介して取り付けられた段付きネジ４９が遮断部４０ｂに形成された長孔５２の内部を該遮断部４０ｂの移動に応じて変位することができ、これにより、段付きネジ４９及び長孔５２が遮断部４０ｂの前後方向に沿っての移動を良好に案内することができる。
【００５２】
以上、本発明の好適な実施の形態について説明したが、本発明はこれに限定されるものではなく、種々の変更を行うことができる。
【００５３】
上述した実施の形態では、取付機構４０ｃを構成する圧縮バネ部材４８が遮断部４０ｂを後方に向けて付勢していたが、本発明においては、次のような構成を採用することもできる。
【００５４】
図７は、本発明の実施の形態であるショーケースの変形例の要部を拡大して示す斜視図である。尚、上述した実施の形態と同様の構成を有するものには同一の符号を付して重複した説明を省略する。
【００５５】
この図７に示すように、取付機構６０は、段付きネジ４９と板バネ部材６１とを備えて構成してある。
【００５６】
段付きネジ４９は、遮断部４０ｂの上端部に形成された前後方向が長手方向となる長孔５２を上方から貫通して、ダクト本体部４０ａの下端部の上面に図示せぬネジ等を介して取り付けられた第１取付金６２の上部に螺合するものである。この段付きネジ４９は、遮断部４０ｂが前後方向に沿って移動する場合に、長孔５２を相対的に変位するものである。
【００５７】
板バネ部材６１は、一端が遮断部４０ｂの上端部の下面に図示せぬネジ等で取り付けられた第２取付金６３に取り付けられ、他端がダクト本体部４０ａの下端部の上面に図示せぬネジ等を介して取り付けられた第３取付金６４に取り付けられている。このような板バネ部材６１は、図８に示すように、撓んで変形することで、遮断部４０ｂを後方に向けて付勢する付勢手段である。
【００５８】
このような構成を有する中間ダクト４０は、ダクト本体部４０ａが対象商品陳列棚１３の構成要素に取り付けられ、かつ取付機構６０が遮断部４０ｂを前後方向に沿って移動可能にさせつつ板バネ部材６１により遮断部４０ｂを後方に向けて付勢するので、遮断部４０ｂの後端部のクッション材４５が区画パネル２４の前面に当接して内方風路２０ｂを遮断することができる。
【００５９】
このような構成によっても、内方風路２０ｂの前後の幅に応じてダクト本体部４０ａの後端部から遮断部４０ｂの後方への突出移動量を調整することができ、従来のような当接板が不要である。このように当接板が不要であるので、蒸発器３１で冷却された空気の通過を阻害する虞れがない。これにより、中間吹出口４３から良好に冷却された空気が十分に吹き出すことができ、商品陳列棚１３に陳列された商品を所望の温度に良好に調整することができる。
【符号の説明】
【００６０】
１０  ケース本体
１１  前面開口
１２  収納室
１２ａ  背面パネル
１３  商品陳列棚
２０  空気風路
２０ｂ  内方風路
３０  循環ファン
３１  蒸発器
４０  中間ダクト
４０ａ  ダクト本体部
４０ｂ  遮断部
４０ｃ  取付機構
４１  風洞
４２  後端開口部
４３  中間吹出口
４４  吸着部
４５  クッション材
４６  導入口
４７  ロッド
４８  圧縮バネ部材
４９  段付きネジ
５０  遮断部側取付金
５０ａ  第１貫通孔
５１  ダクト本体部側取付金
５１ａ  第２貫通孔
５２  長孔
【図１】
0006662025.tif 000002
【図２】
0006662025.tif 000003
【図３】
0006662025.tif 000004
【図４】
0006662025.tif 000005
【図５】
0006662025.tif 000006
【図６】
0006662025.tif 000007
【図７】
0006662025.tif 000008
【図８】
0006662025.tif 000009